(57)【特許請求の範囲】
【請求項１】
集合玄関機（１８）を副幹線（Ｌ１７）で主装置（１７）と接続し、前記主装置を主幹線（Ｌ１０）で複数の居室端末機（１１〜１４）とバス接続し、前記集合玄関機で前記居室端末機を選局して前記居室端末機の拡声スピーカ（１１３）から呼出し、前記集合玄関機のカメラ（Ｃａ）で撮像された訪問者映像信号を前記居室端末機のモニタ（１１２）で出画し、前記集合玄関機と前記居室端末機とで通話を行なう集合住宅インターホン装置であって、
前記集合住宅インターホン装置は、集合住宅（１）近傍における気象データを検知する温度センサ（Ｓ１）、湿度センサ（Ｓ２）、降雨センサ（Ｓ３）を収納した気象データ編成部（１６）と、前記気象データ編成部に接続された入側気象データ編成インターフェース部（１５ｅ）、前記入側気象データ編成インターフェース部から入力される前記気象データをデータ処理する気象データ編成データ処理部（１５ｃ、１５ｄ）、データ処理されたデータ信号を前記主幹線に伝送する出側気象データ編成インターフェース部（１５ａ）を有する気象データ編成インターフェース（１５）とを備え、
前記主装置は、伝送されてきたデータ信号をデータ処理する主装置データ処理部（１７ｄ）と、データ処理されたデータ信号を蓄積する制御装置（１７ｈ）と、蓄積されたデータ信号を画像合成する画像合成部（１７ｉ）と、画像合成された気象映像信号と前記訪問者映像信号を画像切替え前記主幹線に伝送する画像切替部（１７ｋ）と、前記データ処理され蓄積されたデータ信号を前記主幹線に伝送する音声伝送部（１７ｊ）とを備え、
前記居室端末機は、前記主装置から伝送されてきたデータ信号をデータ処理する端末データ処理部（１１ｄ）と、データ処理されたデータ信号を蓄積する画像メモリ（１１ｋ）と、前記気象データ編成部からの気象情報を得たいときに操作され温度、湿度、降雨の気象情報のデータ信号を前記居室端末機の前記モニタで出画するための気象情報確認ボタン（１１４）とを備えることを特徴とする集合住宅インターホン装置。
【請求項２】
前記降雨の気象情報のデータ信号を前記拡声スピーカから警報するための居室端末機制御装置（１１ｇ）を備えることを特徴とする請求項１記載の集合住宅インターホン装置。
【発明の詳細な説明】
【０００１】
【発明の属する技術分野】
【０００２】
本発明は、集合住宅インターホン装置に係わり、特に、集合住宅近傍における地域気象の情報を入手できるようにした集合住宅インターホン装置に関する。
【従来の技術】
【０００３】
従来から、集合住宅インターホン装置として、集合玄関機で訪問者が居室端末機を選局して居室端末機の拡声スピーカから呼出し、集合玄関機のカメラで撮像された訪問者映像信号を居室端末機のモニタで出画し、集合玄関機の玄関機マイク、スピーカと、居室端末機のハンドセットの居室端末機マイク、レシーバとで通話を行なうものが知られている（特開平９−２３３２０２号公報、特開平９−２６１６２４号公報）。
【発明が解決しようとする課題】
【０００４】
この集合住宅インターホン装置においては、集合玄関機から居室端末機への呼出しに応答して居室端末機ではモニタで訪問者の訪問者映像を視認してから集合玄関機と居室端末機で通話を行なうことができ極めて安全性に資するものであるが、集合住宅近傍における地域気象の情報を入手できて洗濯物を室外へ干してもいいか或いは買い物時の傘の携帯が必要か否かという判断上、集合住宅の居室で外気温や降雨状況を確認するには、各居室が個別に各種センサを設置し配線する必要があった。集合住宅近傍における気象情報が得られれば集合住宅の利便性から好ましいものであるところ、現在の集合住宅インターホン装置においては、このような要請には応えられていないのが現状である。
【０００５】
本発明は上述した難点に鑑みなされたもので、気象データを検知する各種センサからの気象データを編成処理し、居室端末機に配信して集合住宅近傍における地域気象の情報を入手することによって居室毎に設備を追加しなくても住戸の居室端末機を用いて外気温や降雨状況の確認が可能になる集合住宅インターホン装置を提供することを目的としている。
【課題を解決するための手段】
【０００６】
この目的を達成するため本発明の集合住宅インターホン装置は、集合玄関機を副幹線で主装置と接続し、主装置を主幹線で複数の居室端末機とバス接続し、集合玄関機で居室端末機を選局して居室端末機の拡声スピーカから呼出し、集合玄関機のカメラで撮像された訪問者映像信号を居室端末機のモニタで出画し、集合玄関機と居室端末機とで通話を行なうものである。
【０００７】
集合住宅インターホン装置は、気象データを検知する温度センサ、湿度センサ、降雨センサを収納した気象データ編成部と、気象データ編成部に接続された入側気象データ編成インターフェース部、入側気象データ編成インターフェース部から入力される気象データをデータ処理する気象データ編成データ処理部、データ処理されたデータ信号を主幹線に伝送する出側気象データ編成インターフェース部を有する気象データ編成インターフェースとを備えている。
【０００８】
主装置は、伝送されてきたデータ信号をデータ処理する主装置データ処理部と、データ処理されたデータ信号を蓄積する制御装置と、蓄積されたデータ信号を画像合成する画像合成部と、画像合成された気象映像信号と訪問者映像信号を画像切替え主幹線に伝送する画像切替部と、データ処理され蓄積されたデータ信号を主幹線に伝送する音声伝送部とを備えている。
【０００９】
居室端末機は、主装置から伝送されてきたデータ信号をデータ処理する端末データ処理部と、データ処理されたデータ信号を蓄積する画像メモリと、気象データ編成部からの気象情報を得たいときに操作され温度、湿度、降雨の気象情報のデータ信号を居室端末機のモニタで出画するための気象情報確認ボタンとを備えている。
【００１０】
また、居室端末機は、降雨の気象情報のデータ信号を拡声スピーカから警報するための居室端末機制御装置を備えている。
【００１１】
このような集合住宅インターホン装置によれば、集合玄関機で居室端末機を選局することにより、選局された居室端末機の端末スピーカから呼出し、集合玄関機のカメラで撮像された訪問者映像信号がモニタで出画されるとともに、居室端末機のハンドセットをなす居室端末機マイク、レシーバと集合玄関機のスピーカ、マイク間で通話が成立する。
【００１２】
温度センサ、湿度センサ、降雨センサから気象データ編成部で集合住宅近傍の気象データを検知する。気象データ編成部からの気象データは気象データ編成インターフェースの入側気象データ編成インターフェース部を介して気象データ編成データ処理部でデータ処理され、データ処理されたデータ信号は出側気象データ編成インターフェース部から主幹線に伝送される。主装置は、主装置データ処理部で伝送されてきたデータ信号をデータ処理し、制御装置でデータ処理されたデータ信号を蓄積し、蓄積されたデータ信号を画像合成部で画像合成し、画像切替部で気象映像信号と訪問者映像信号を画像切替えて主幹線に伝送させ、音声伝送部でデータ処理され蓄積されたデータ信号を主幹線に伝送する。
【００１３】
居室端末機は、端末データ処理部主装置から伝送されてきたデータ信号をデータ処理し、画像メモリでデータ処理されたデータ信号を蓄積し、気象情報確認ボタンで気象データ編成部からの気象情報を得たいときに操作され温度、湿度、降雨の気象情報のデータ信号を居室端末機のモニタに出画させる。
【００１４】
また、居室端末機は、降雨センサから気象データ編成部で気象データが検知された時点で居室端末機制御装置により降雨の気象情報のデータ信号を拡声スピーカから警報する。
【発明の実施の形態】
【００１５】
以下、本発明の集合住宅インターホン装置における好ましい実施の形態例を図面にしたがって説明する。
【００１６】
図１のブロック図、図２の各図において、本発明の集合住宅インターホン装置は、集合玄関機１８を副幹線Ｌ１７により主装置１７と接続し、主装置１７を主幹線Ｌ１０および主幹線Ｌ１０上の分岐器Ｎ１１〜Ｎ１４から副幹線Ｌ１１〜Ｌ１４により複数の居室端末機１１〜１４とバス接続し、集合玄関機１８で居室端末機１１〜１４を選局して居室端末機１１〜１４の拡声スピーカ１１３から呼出し、集合玄関機１８のカメラＣａで撮像された訪問者映像信号を居室端末機１１〜１４のモニタ１１２で出画し、集合玄関機１８の玄関機マイクＭ、スピーカＳｐと、居室端末機１１〜１４のハンドセット１１１の居室端末機マイク１１１ｍ、レシーバ１１１ｒとで通話を行なうものであり、上述の各部（各機器）により集合住宅１が構成される。
【００１７】
また、集合住宅インターホン装置は、集合住宅１近傍の気象データを検知する温度センサＳ１、湿度センサＳ２、降雨センサＳ３を収納した気象データ編成部１６を備えている。
【００１８】
更に、集合住宅インターホン装置は、図５のブロック図に示すように、気象データ編成部１６に副幹線Ｌ１６を介して接続された入側気象データ編成インターフェース部１５ｅと、入側気象データ編成インターフェース部１５ｅから入力される気象データをデータ処理する気象データ編成データ処理部、即ち気象データ編成データ処理回路１５ｃ、気象データ編成制御装置（ＣＰＵ）１５ｄと、データ処理されたデータ信号を変調部１５ｂで変調して副幹線Ｌ１５から主幹線Ｌ１０上の分岐器Ｎ１５を介して主幹線Ｌ１０に伝送する出側気象データ編成インターフェース部１５ａとを有する気象データ編成インターフェース１５を備えている。ここで、データ処理とは、通信のパケットの組立て・解析およびタイミング処理の通信処理を意味する。
【００１９】
主装置１７は、図３のブロック図に示すように、伝送されてきたデータ信号をデータ処理する主装置データ処理部１７ｄと、データ処理されたデータ信号を蓄積する制御装置（以下、主装置制御部と称す）１７ｈと、蓄積されたデータ信号から画像を生成して合成する画像合成部１７ｉと、画像合成された気象映像信号と訪問者映像信号を画像切替えて主幹線Ｌ１０に伝送する画像切替部１７ｋと、データ処理され蓄積されたデータ信号を主幹線Ｌ１０に伝送する音声伝送部（以下、変調部と称す）１７ｊとを備えている。ここで、データ処理とは、通信のパケットの組立て・解析およびタイミング処理の通信処理を意味する。
【００２０】
また、主装置１７は、主幹線Ｌ１０に接続された主幹線側インターフェース部１７ａと、副幹線Ｌ１７を介して集合玄関機１８に接続された玄関側インターフェース部１７ｇとを有している。主幹線側インターフェース部１７ａは復調部１７ｂ、主装置データ処理部１７ｄ、変調部１７ｅを介して玄関側インターフェース部１７ｇに接続されている。玄関側インターフェース部１７ｇは復調部１７ｆ、主装置データ処理部１７ｄ、変調部１７ｃを介して主幹線側インターフェース部１７ａに接続されている。主装置データ処理部１７ｄは主装置制御部１７ｈと協働して主装置データ処理部１７ｄでデータ処理されたデータ信号を蓄積する機能を有する。
【００２１】
主装置制御部１７ｈは、蓄積されたデータ信号から画像を生成して合成する画像合成部１７ｉと、画像合成された気象映像信号と訪問者映像信号を画像切替えて主幹線Ｌ１０に伝送する画像切替部１７ｋとを制御する機能を有する。玄関側インターフェース部１７ｇは復調部１７ｌを介して画像切替部１７ｋの入力側に接続されている。画像切替部１７ｋの出力側は変調部１７ｊを介して主幹線側インターフェース部１７ａの入力側に接続されている。
【００２２】
居室端末機１１〜１４は、同一構成であって、その１つ居室端末機１１について説明する。即ち居室端末機１１は、図４のブロック図に示すように、主装置１７から伝送されてきたデータ信号をデータ処理する端末データ処理部１１ｄと、データ処理されたデータ信号を蓄積する画像メモリ１１ｋと、気象データ編成部１６からの気象情報を得たいときに操作され温度、湿度、降雨の気象情報のデータ信号をモニタ１１２で出画し、降雨の気象情報のデータ信号を拡声スピーカ１１３から警報するための気象情報確認ボタン１１４とを備えている。ここで、データ処理とは、通信のパケットの組立て・解析およびタイミング処理の通信処理を意味する。
【００２３】
また、居室端末機１１は、副幹線Ｌ１１に接続された幹線側インターフェース部１１ａを有している。幹線側インターフェース部１１ａは、復調部１１ｂ、端末データ処理部１１ｄ、Ｄ／Ａ変換器１１ｅを介してハンドセット１１１のレシーバ１１１ｒに接続されている。ハンドセット１１１の居室端末機マイク１１１ｍは、Ａ／Ｄ変換器１１ｆ、端末データ処理部１１ｄ、変調部１１ｃを介して幹線側インターフェース部１１ａに接続されている。また、幹線側インターフェース部１１ａは、復調部１１ｉ、Ａ／Ｄ変換器１１ｊ、画像メモリ１１ｋ、モニタインターフェース部１１ｌを介してモニタ１１２に接続されている。居室端末機制御装置（ＣＰＵ）１１ｇは、主装置１７から伝送されてきたデータ信号をデータ処理する端末データ処理部１１ｄとデータ処理されたデータ信号を蓄積する画像メモリ１１ｋとを制御し、居室端末機制御装置１１ｇは、アラーム発生部１１ｈを駆動してアラーム信号を発生させ拡声スピーカ１１３から降雨警報音を放音させるものである。
【００２４】
このように構成された集合住宅インターホン装置において、その動作について説明する。以下において「ＳＧ」は各構成部における信号またはデータを示す。
【００２５】
図１、図３、図４の各ブロック図に示すように、集合玄関機１８で居室端末機１１〜１４の１つ、ここでは居室端末機１１を選局すれば、選局データが変調されて（その変調手段は図示せず）副幹線Ｌ１７から主装置１７の玄関側インターフェース部１７ｇ（ＳＧ１７ａ）→復調部１７ｆ（ＳＧ１７ｂ）→主装置データ処理部１７ｄ（ＳＧ１７ｃ）→変調部１７ｃ（ＳＧ１７ｄ）→主幹線側インターフェース部１７ａ→主幹線Ｌ１０および主幹線Ｌ１０上の分岐器Ｎ１１→副幹線Ｌ１１の経路を介して選局された居室端末機１１へ伝送される。居室端末機１１では、伝送されてきた信号ＳＧ１７ｄが幹線側インターフェース部１１ａ（ＳＧ１１ａ）→復調部１１ｂ（ＳＧ１１ｂ）→端末データ処理部１１ｄ（ＳＧ１１ｃ）→居室端末機制御装置１１ｇ（ＳＧ１１ｄ）の経路でアラーム発生部１１ｈを駆動して呼出信号音（ＳＧ１１ｅ）を発生させ、拡声スピーカ１１３から呼出音を放音する。
【００２６】
呼出音が放音されたならば、集合玄関機１８のカメラＣａで撮像された訪問者映像信号が変調されて（その変調手段は図示せず）副幹線Ｌ１７→主装置１７の玄関側インターフェース部１７ｇ（ＳＧ１７ｅ）→復調部１７ｌ（ＳＧ１７ｆ）→画像切替部１７ｋ（ＳＧ１７ｇ）→変調部１７ｊ（ＳＧ１７ｈ）→主幹線側インターフェース部１７ａ→主幹線Ｌ１０および主幹線Ｌ１０上の分岐器Ｎ１１→副幹線Ｌ１１の経路を介して選局された居室端末機１１へ伝送される。居室端末機１１では、伝送されてきた信号ＳＧ１７ｈが幹線側インターフェース部１１ａ（ＳＧ１１ｆ）→復調部１１ｉ（ＳＧ１１ｇ）→Ａ／Ｄ変換器１１ｊ（ＳＧ１１ｈ）→画像メモリ１１ｋ（ＳＧ１１ｉ）→モニタインターフェース部１１ｌ（ＳＧ１１ｊ）の経路でモニタ１１２に出画される（図２（ａ）、図２（ｂ）に示す１１２ａ）。
【００２７】
この呼出しに応答して居室端末機１１のハンドセット１１１をフックオフすれば、ハンドセット１１１の居室端末機マイク１１１ｍからの音声信号ＳＧ１１ｋは、Ａ／Ｄ変換器１１ｆ（ＳＧ１１ｌ）→端末データ処理部１１ｄ（ＳＧ１１ｍ）→変調部１１ｃ（ＳＧ１１ｎ）→幹線側インターフェース部１１ａ→副幹線Ｌ１１→主幹線Ｌ１０上の分岐器Ｎ１１および主幹線Ｌ１０→主装置１７の幹線側インターフェース部１７ａ（ＳＧ１７ｉ）→復調部１７ｂ（ＳＧ１７ｊ）→主装置データ処理部１７ｄ（ＳＧ１７ｋ）→変調部１７ｅ（ＳＧ１７ｌ）→玄関側インターフェース部１７ｇ→副幹線Ｌ１７の経路で集合玄関機１８のスピーカＳｐから放音される。
【００２８】
一方、集合玄関機１８の玄関機マイクＭからの音声信号は、変調されて（その変調手段は図示せず）副幹線Ｌ１７→主装置１７の玄関側インターフェース部１７ｇ（ＳＧ１７ｍ）→復調部１７ｆ（ＳＧ１７ｎ）→主装置データ処理部１７ｄ（ＳＧ１７ｏ）→変調部１７ｃ（ＳＧ１７ｐ）→主幹線側インターフェース部１７ａ→主幹線Ｌ１０および主幹線Ｌ１０上の分岐器Ｎ１１→副幹線Ｌ１１の経路で選局された居室端末機１１へ伝送される。居室端末機１１では、伝送されてきた信号ＳＧ１７ｑが幹線側インターフェース部１１ａ（ＳＧ１１ｏ）→復調部１１ｂ（ＳＧ１１ｐ）→端末データ処理部１１ｄ（ＳＧ１１ｑ）→Ｄ／Ａ変換器１１ｅ（ＳＧ１１ｒ）の経路でハンドセット１１１のレシーバ１１１ｒから聴取される。
【００２９】
このように集合玄関機１８で居室端末機１１〜１４を選局すれば、選曲された居室端末機１１〜１４の拡声スピーカ１１３から呼出すことができ、集合玄関機１８のカメラＣａで撮像された訪問者映像信号を選曲された居室端末機１１〜１４のモニタ１１２にて出画させ、集合玄関機１８の玄関機マイクＭ、スピーカＳｐと、選局された居室端末機１１〜１４のハンドセット１１１の居室端末機マイク１１１ｍ、レシーバ１１１ｒとで通話を行なうことができる。
【００３０】
次に、温度センサＳ１、湿度センサＳ２、降雨センサＳ３は、集合住宅１近傍の気象データをそれぞれ検知し、これを収納した気象データ編成部１６に気象データを送る。
【００３１】
気象データ編成部１６で編成された気象データは、副幹線Ｌ１６を介して気象データ編成インターフェース１５（図５）の入側気象データ編成インターフェース部１５ｅから気象データＳＧ１５ａとして気象データ編成データ処理部の気象データ編成制御装置１５ｄに入力される。気象データ編成データ処理回路１５ｃは気象データ編成制御装置１５ｄの制御により入力された気象データをデータ処理する（ＳＧ１５ｂ）。ここで、データ処理とは、通信のパケットの組立て・解析およびタイミング処理の通信処理を意味する。データ処理されたデータ信号ＳＧ１５ｃは、変調部１５ｂで変調された気象データＳＧ１５ｄ（下りデータ信号Ｄ１１）として、出側気象データ編成インターフェース部１５ａから副幹線Ｌ１５→主幹線Ｌ１０上の分岐器Ｎ１５および主幹線Ｌ１０の経路で主装置１７に伝送される。なお、図６の説明図において、データ、音声はヘッダが付加された図示のようなパケット形式で伝送され、時間軸は幹線の通信パケット形式、周波数軸は周波数多重の形式、Ｔ1は１パケット時間長をそれぞれ示す。また、信号ｆ３は下りデータ信号（配信画像信号）Ｄ１１を示す。
【００３２】
主装置１７（図３）では、伝送されてきたデータ信号Ｄ１１が主幹線側インターフェース部１７ａ（ＳＧ１７ｑ）を介して復調部１７ｂで気象データＳＧ１７ｒに復調され、復調された気象データＳＧ１７ｒが主装置制御部１７ｈの制御により主装置データ処理部１７ｄでデータ処理されたデータ信号ＳＧ１７ｓとして主装置制御部１７ｈに蓄積される。蓄積されたデータ信号ＳＧ１７ｔは、主装置制御部１７ｈの制御により画像合成部１７ｉにおいて画像合成された気象映像信号ＳＧ１７ｕとして画像切替部１７ｋに出力される。画像切替部１７ｋでは、主装置制御部１７ｈの制御（ＳＧ１７ｖ）により、気象映像信号ＳＧ１７ｕと、集合玄関機１８から副幹線Ｌ１７を伝送されてきた玄関側インターフェース部１７ｇからの訪問者映像信号ＳＧ１７ｅが復調部１７ｌにて復調された訪問者映像信号ＳＧ１７ｆとの画像が切替えられ、切替えられたデータ信号ＳＧ１７ｗは、変調部１７ｊで変調されたデータ信号ＳＧ１７ｘ（上り気象情報Ｄ１２）として、主幹線側インターフェース部１７ａから主幹線Ｌ１０および主幹線Ｌ１０上の各分岐器Ｎ１１〜Ｎ１４→各副幹線Ｌ１１〜Ｌ１４の経路で居室端末機１１〜１４にそれぞれ伝送される。ここで、データ処理とは、通信のパケットの組立て・解析およびタイミング処理の通信処理を意味する。
【００３３】
居室端末機、ここでは居室端末機１１（図４）では、伝送されてきたデータ信号ＳＧ１７ｘ（上り気象情報Ｄ１２）が、幹線側インターフェース部１１ａ（ＳＧ１１ｓ）→復調部１１ｉ（ＳＧ１１ｔ）→Ａ／Ｄ変換器１１ｊ（ＳＧ１１ｕ）の経路で画像メモリ１１ｋに記憶される。ここで、居室端末機１１において気象データ編成部１６からの気象情報を得たいときに、気象情報確認ボタン１１４（図２（ａ）、図４）を操作すると、居室端末機制御装置１１ｇの制御（ＳＧ１１ｖ）により、画像メモリ１１ｋに記憶された気象情報ＳＧ１１ｗが、モニタインターフェース部１１ｌ（ＳＧ１１ｘ）を介してモニタ１１２に出画され、温度、湿度、降雨の気象情報が得られる（図２（ｃ）に示す１１２ｂ、１１２ｃ、１１２ｄ）。なお、図６の説明図において、データ部に気象センサ情報が埋め込まれ、信号ｆ１は上り気象情報Ｄ１２と音声信号を示す。ｆ２は下りデータと音声信号を示すが、その詳細は特徴ではないので、その説明は省略する。
【００３４】
また、居室端末機では、降雨センサＳ３から気象データ編成部１６で気象データが検知されると、主装置１７から伝送されてきたデータ信号ＳＧ１７ｘ（上り気象情報Ｄ１２）が幹線側インターフェース部１１ａ（ＳＧ１１ｓ’）→復調部１１ｂ（ＳＧ１１ｔ’）→端末データ処理部１１ｄ（ＳＧ１１ｕ’）→居室端末機制御装置１１ｇ（ＳＧ１１ｖ’）の経路でアラーム発生部１１ｈを駆動して降雨の気象情報の警報音信号（ＳＧ１１ｗ’）を発生させ、拡声スピーカ１１３から降雨警報音（ＡＲ１１）を放音する。
【００３５】
このように発明の集合住宅インターホン装置によれば、各種センサからの気象情報は、一旦メモリ、制御装置に蓄積されて配信されるので、過去のデータに遡って、グラフ表示等で確認することも可能である。また、気象情報のサービスは画面で配信されるため画面デザインの変更や放送のように常時モニタも可能である。
【００３６】
なお、上記実施例では気象の情報を入手することについて説明したが、外部情報としてＪＪＹ（時報）や、防災無線等にアクセスして配信することもできる。
【発明の効果】
【００３７】
以上の説明から明らかなように、本発明の集合住宅インターホン装置によれば、気象データを検知する各種センサからの気象データを編成処理し、居室端末機に配信して集合住宅近傍における地域気象の情報を入手することによって居室毎に設備を追加しなくても住戸の居室端末機を用いて外気温や降雨状況の確認が可能になる。このため、多棟の集合住宅を含めて構内網を使用して身近な地域気象情報を収集できる。
【図面の簡単な説明】
【図１】  本発明の集合住宅インターホン装置の一実施例を示す図。
【図２】  （ａ）は本発明の集合住宅インターホン装置で使用される居室端末機の平面図、（ｂ）は本発明の集合住宅インターホン装置で使用される居室端末機におけるモニタで出画される訪問者の画像表示画面図、（ｃ）は本発明の集合住宅インターホン装置で使用される居室端末機におけるモニタで出画される気象情報表示画面図。
【図３】  本発明の集合住宅インターホン装置で使用される主装置のブロック図。
【図４】  本発明の集合住宅インターホン装置で使用される居室端末機のブロック図。
【図５】  本発明の集合住宅インターホン装置で使用される気象データ編成インターフェースのブロック図。
【図６】  本発明の集合住宅インターホン装置で使用される信号の説明図。
【符号の説明】
１８‥‥‥集合玄関機
Ｌ１７‥‥‥副幹線
１７‥‥‥主装置
Ｌ１０‥‥‥主幹線
１１〜１４‥‥‥複数の居室端末機
１１３‥‥‥拡声スピーカ
Ｃａ‥‥‥カメラ
１１２‥‥‥モニタ
１‥‥‥集合住宅
Ｓ１‥‥‥温度センサ
Ｓ２‥‥‥湿度センサ
Ｓ３‥‥‥降雨センサ
１６‥‥‥気象データ編成部
１５ｅ‥‥‥入側気象データ編成インターフェース部
１５ｃ‥‥‥気象データ編成データ処理回路（気象データ編成データ処理部）
１５ｄ‥‥‥気象データ編成制御装置（気象データ編成データ処理部）
１５ａ‥‥‥出側気象データ編成インターフェース部
１５‥‥‥気象データ編成インターフェース
１７ｄ‥‥‥主装置データ処理部
１７ｈ‥‥‥制御装置（主装置制御部）
１７ｉ‥‥‥画像合成部
１７ｋ‥‥‥画像切替部
１７ｊ‥‥‥音声伝送部（変調部）
１１ｄ‥‥‥端末データ処理部
１１ｋ‥‥‥画像メモリ
１１４‥‥‥気象情報確認ボタン
【図１】
0004199371.tif 000002
【図２】
0004199371.tif 000003
【図３】
0004199371.tif 000004
【図４】
0004199371.tif 000005
【図５】
0004199371.tif 000006
【図６】
0004199371.tif 000007